【事件の表示】
　平成　９年特許願第　　４６６５号「画像形成装置」拒絶査定不服審判事件〔平成１０年　７月３１日出願公開、特開平１０−２００７３１〕について、次のとおり審決する。
【結　論】
　本件審判の請求は、成り立たない。
【理　由】
１．手続の経緯等
　本願は、平成９年１月１４日の出願であって、平成１７年１０月３日付けの手続補正書によって補正された明細書及び図面の記載から、本願の請求項１に係る発明（以下、本願発明という。）は、特許請求の範囲の請求項１に記載された次のとおりのものである。
　
「データ送受信機能と複写機能とを有する画像形成装置において、
　原稿を走査して画像を読取る読取手段と、
　この読取手段で読取った画像情報を記憶する第１の記憶手段と、
　この第１の記憶手段に記憶された画像情報または上記読取手段で読取った画像情報に基づいて被画像形成媒体に画像を形成する画像形成手段と、
　上記読取手段における主走査方向に対する倍率誤差量と副走査方向に対する倍率誤差量とを算出する算出手段と、
　この算出手段で算出された主走査方向に対する倍率誤差量と副走査方向に対する倍率誤差量とを記憶する第２の記憶手段と、
　上記データ送受信機能が動作される際、解像度変換のために用いられる解像度変換テーブルと、
　上記データ送信機能が動作される際、上記第２の記憶手段に記憶された主走査方向に対する倍率誤差量と副走査方向に対する倍率誤差量とに基づいて上記解像度変換テーブルを用いて所定の解像度変換倍率を補正して上記読取手段で読取られる画像情報の解像度変換を行う解像度変換手段と、
　この解像度変換手段で解像度変換された画像情報を送信する送信手段と、
　を具備したことを特徴とする画像形成装置。」
　
２．引用例
　原審の拒絶理由で引用された特開平８−２６５５６０号公報（以下、引用例１という。）には、図面とともに次の記載がなされている。
　
（１）「【特許請求の範囲】
【請求項１】　原稿画像を読み取る読取手段と、前記読取手段により所定画像を読み取って得た画像信号に基づいて前記読取手段の画像読み取り倍率を検出する検出手段と、前記検出手段により検出した画像読み取り倍率に従って、前記読取手段の読み取り倍率を補正する補正手段とを有することを特徴とする画像処理装置。」
　
（２）「【００２５】本実施例の複写機は、原稿を画像データに変換する画像入力装置（以下、リーダ部という）１０１と、複数種類の転写紙カセットを有し、プリント命令により画像データを転写紙上に可視像として出力する画像出力装置（以下、プリンタ部という）１０２と、プリンタ部１０２によりプリントされた転写紙をソートし、蓄積するためのソータ部１０３と、リーダ部１０１とプリンタ部１０２ならびにソータ部１０３を動作させるための制御部１０４と、コピーやファックスなどの機能を選択・設定するための操作部１０５−１および確認のための表示部１０５−２を備えた操作表示部１０５と、制御部１０４と電気的に接続された外部装置１０６とを有する。
【００２６】また、外部装置１０６には、リーダ部１０１から画像信号を回線を介して送信または回線を介して画像信号を受信するためのファクシミリインターフェース１０８およびパーソナルコンピュータやワードプロセッサ等のコンピュータと接続し、それらとの間で画像信号の授受を行うためのコンピュータインターフェース１１１を備えている。」
　
（３）「【００３４】図２は、同一の複写機における画像信号の信号処理部の構成を示す回路ブロック図である。
【００３５】……
【００３６】……ＣＣＤ２０９から読み出されたアナログ信号は、プリアンプ３０１でＡ／Ｄ変換器３０２の入力信号レベルに合わせて増幅される。Ａ／Ｄ変換器３０２からの出力信号は、シェーディング補正回路３０３に入力され、ここでランプ２０３の配光ムラやＣＣＤ２０９の感度ムラ等に起因するシェーディング歪が補正される。シェーディング補正回路３０３を通った信号は、セレクタ３０４およびセレクタ３０６へ送られる。セレクタ３０４では、シェーディング補正回路３０３から入力される信号および画像メモリ３０７から読み出されてくる信号を制御部１０４の指示により選択し、画像信号処理回路３０５に送り出す。
【００３７】……
【００３８】副走査変倍回路３２０は、画像メモリ３０７から読み出されてくる信号に対して、制御部１０４の指示に従って、副走査方向に関する変倍処理を行う。　
【００３９】画像信号処理回路３０５を経た信号は、セレクタ３０６およびセレクタ３０８に送られる。セレクタ３０８では画像信号処理回路３０５から入力される信号および画像メモリ３０７から読み出され、副走査変倍回路３２０を通った信号を制御部１０４の指示により選択し、セレクタ３０９に送る。
【００４０】セレクタ３０９では、制御部１０４の選択に従って、プリンタ部１０２の露光制御部であるレーザドライバ２１０、ファクシミリインターフェース（ＩＦ）１０８の送信部またはコンピュータインターフェース（ＩＦ）１１１のいずれかへ入力されてくる画像信号を送り出す。
【００４１】また、セレクタ３１０では、ファクシミリＩＦ１０８の受信部からの信号とコンピュータＩＦ１１１からの信号を制御部１０４の指示で選択し、さらにセレクタ３０６では画像信号処理回路３０５からの信号、シェーディング補正回路３０３からの信号ならびにセレクタ３１０からの信号を制御部１０４の指示で切り替え、画像メモリ３０７に入力して記憶させる。」
　
（４）「【００４６】補正動作のスタートの指示が入力されると（Ｓ５０３）、スキャナ倍率補正モードであれば（Ｓ５０４）、まず、スキャナユニット２０４をホームポジション（ＨＰ）に戻し（Ｓ５０５）、原稿台のガラス面２０２上に置かれたテストチャートＴＣを等倍で読み込み、画像メモリ３０７に記憶する（Ｓ５０６）。
【００４７】……
【００４８】……
【００４９】……
【００５０】テストチャートＴＣに応じて予め設定されている画像読み込み開始位置ＳＰから画像先端位置ＬＥまでの画素数Ｌ１および画像後端位置ＴＥまでの画素数Ｌ２と、Ｓ５０７、Ｓ５０８で求めた画素数Ｌ１＋△１、Ｌ２＋△２を用いて次式の演算を行い、画像の読み込み倍率Ｍを求める（Ｓ５０９）。
【００５１】
　Ｍ＝｛（Ｌ２＋△２）−（Ｌ１＋△１）｝／（Ｌ２−Ｌ１）
　＝１＋（△２−△１）／（Ｌ２−Ｌ１）
そして、等倍からの差分、即ち（△２−△１）／（Ｌ２−Ｌ１）を副走査方向の倍率補正値ｍとする（Ｓ５１０）。」
　
（５）「【００６６】以後、操作部１０５より指示されたスキャン倍率もしくはコピー倍率（要求倍率ＭＱ）を不揮発性メモリ３１８に記憶された補正値を使用して補正することにより、指示どおりの倍率でスキャン、プリンタもしくはコピー動作を行うことができる。
【００６７】次に、各動作における補正処理について説明する。
【００６８】図６は、制御部１０４による倍率補正処理の手順を示すフローチャートである。
【００６９】前述の如く、本実施例の複写機は、リーダ部１０１で読み取った原稿画像をプリンタ部１０２でプリントするコピーモード、リーダ１０１で読み取った原稿画像を表す画像信号をファクシミリＩＦ１０８またはコンピュータＩＦ１１１に出力するスキャナモード、および、ファクシミリＩＦ１０８またはコンピュータＩＦ１１１から入力した画像信号に基づいてプリントを行うプリンタモードで動作する。
【００７０】複写機の動作開始に際して、図７に示した倍率補正用の各種値のセットが制御部１０４により実行される。
【００７１】すなわち、動作モードが何であるかが判定され（Ｓ６０１、Ｓ６０２）、スキャナモードであれば、副走査方向に関する要求倍率ＭＱとスキャナ用の倍率補正値ｍとに基づいて副走査画像倍率ＭＳを下記の式により求める。
【００７２】ＭＳ＝ＭＱ／（１＋ｍ）
そして、この副走査画像倍率ＭＳに対応した速度で原稿画像を副走査するように、スキャナユニット２０４を移動するためのモータ３１７の回転速度を設定する。また、ＣＣＤ２０９により画像の読み込みを開始する位置を補正するように画像読み取り開始位置に関する画素数ＰＮをセットする（Ｓ６０３）。」
　
（６）「【００８１】なお、以上の実施例では、スキャナモードおよびコピーモードにおける副走査方向に関する倍率補正をスキャナユニットの副走査速度を補正することによって実行したが、これに限らず、副走査方向に関して画像信号に変倍処理を電気的に施すことによって達成してもよい。」
　
　したがって、引用例１には次の発明（以下、引用発明１という。）が記載されているといえる。
　
「コピーやファックスの機能を有する画像処理装置において、
　原稿を画像データに変換する画像入力装置（以下、リーダ部という）と、
　画像データを転写紙上に可視像として出力する画像出力装置（以下、プリンタ部という）と、
　リーダ部から画像信号を回線を介して送信または回線を介して画像信号を受信するためのファクシミリインターフェースと、を備え、
　ＣＣＤ２０９から読み出されたアナログ信号は、プリアンプ３０１でＡ／Ｄ変換器３０２の入力信号レベルに合わせて増幅され、Ａ／Ｄ変換器３０２からの出力信号は、シェーディング補正回路３０３に入力され、シェーディング補正回路３０３を通った信号は、セレクタ３０４およびセレクタ３０６へ送られ、セレクタ３０４では、シェーディング補正回路３０３から入力される信号および画像メモリ３０７から読み出されてくる信号を選択し、画像信号処理回路３０５に送り出し、副走査変倍回路３２０は、画像メモリ３０７から読み出されてくる信号に対して副走査方向に関する変倍処理を行い、画像信号処理回路３０５を経た信号は、セレクタ３０６およびセレクタ３０８に送られ、セレクタ３０８では画像信号処理回路３０５から入力される信号および画像メモリ３０７から読み出され、副走査変倍回路３２０を通った信号を選択し、セレクタ３０９に送り、セレクタ３０９では、プリンタ部１０２の露光制御部であるレーザドライバ２１０、ファクシミリインターフェース（ＩＦ）１０８の送信部またはコンピュータインターフェース（ＩＦ）１１１のいずれかへ入力されてくる画像信号を送り出し、セレクタ３１０では、ファクシミリＩＦ１０８の受信部からの信号とコンピュータＩＦ１１１からの信号を選択し、さらにセレクタ３０６では画像信号処理回路３０５からの信号、シェーディング補正回路３０３からの信号ならびにセレクタ３１０からの信号を切り替え、画像メモリ３０７に入力して記憶させ、
　所定画像を読み取って得た画像信号に基づいて画像読み取り倍率を検出して、検出した画像読み取り倍率に従って、画像信号に変倍処理を電気的に施して読み取り倍率を補正する補正手段とを有し、
　画像の読み込み倍率Ｍを求め、等倍からの差分を、副走査方向の倍率補正値ｍとするものであり、操作部１０５より指示されたスキャン倍率（要求倍率ＭＱ）を不揮発性メモリ３１８に記憶された補正値を使用して補正することにより、指示どおりの倍率で、リーダで読み取った原稿画像を表す画像信号をファクシミリＩＦ１０８に出力するスキャナモードのスキャン動作を行うことができる画像処理装置。」
　
　また、原審の拒絶理由で引用された特開平７−１６２６０４号公報　（以下、引用例２という。）には、図面とともに次の記載がなされている。
　
（７）「【請求項２】主走査方向及び副走査方向に走査することにより画像を読み取る画像読取手段と、
主走査方向及び副走査方向の原稿の読み取り開始位置及び読み取り終了位置の各々に対応する位置に濃淡の境界部分を設けたテストチャートにおける前記濃淡の境界部分の位置及び前記テストチャートの特定位置間の主走査方向及び副走査方向の少なくとも一方の距離に関するデータを予め記憶する記憶手段と、
前記画像読取手段により前記テストチャートの画像を読み取って得られた画像データから前記濃淡の境界部分を検出すると共に特定位置間の主走査方向及び副走査方向の少なくとも一方の距離を検出するテストチャート検出手段と、
前記記憶手段に記憶されたデータと前記テストチャート検出手段で検出されたデータとに基づいて、読み取り開始位置及び読み取り終了位置の調整値、テストチャート上の特定位置間の距離とこの距離に対応する前記読み取られたテストチャートの画像データに基づく距離との縮倍率の調整値及び前記縮倍率の調整値で調整して得られる読み取り開始位置及び読み取り終了位置の調整値の少なくとも１つを算出する算出手段と、
を備えた画像読取装置。」
　
（８）「【００６０】以上説明した実施例では、読み取り開始位置と読み取り終了位置及び縮倍率の調整値を自動的に算出するので、洗練されたオペレータでなくても短時間で読み取り開始位置と読み取り終了位置及び縮倍率を調整することができる。また、読取開始位置と終了位置及び縮倍率の調整値を画像読取装置のみで算出するので、記録装置がいらなく、無駄なサンプルをコピーする必要がない。」
　
　したがって、引用例２には次の発明（以下、引用発明２という。）が記載されているといえる。
「主走査方向及び副走査方向に走査することにより画像を読み取る画像読取装置において、
　主走査方向及び副走査方向の縮倍率の調整値を自動的に算出する画像読取装置。」
　
３．対比
　本願発明と引用発明１とを対比すると、
引用発明１はコピーやファックスの機能を有する画像処理装置であるから、本願発明と、データ送受信機能と複写機能とを有する画像形成装置の点で変わりはなく、
引用発明１の原稿を画像データに変換する画像入力装置は、本願発明の原稿を走査して画像を読取る読取手段に対応し、
引用発明１の画像メモリ３０７は、「シェーディング補正回路３０３からの信号ならびにセレクタ３１０からの信号を切り替え、画像メモリ３０７に入力して記憶させ、」とするのであるから、画像入力装置からの信号を記憶する機能を有する点で、本願発明の第１の記憶手段に対応し、
引用発明１は「セレクタ３０４では、シェーディング補正回路３０３から入力される信号および画像メモリ３０７から読み出されてくる信号を選択し、画像信号処理回路３０５に送り出し、副走査変倍回路３２０は、画像メモリ３０７から読み出されてくる信号に対して副走査方向に関する変倍処理を行い、画像信号処理回路３０５を経た信号は、セレクタ３０６およびセレクタ３０８に送られ、セレクタ３０８では画像信号処理回路３０５から入力される信号および画像メモリ３０７から読み出され、副走査変倍回路３２０を通った信号を選択し、セレクタ３０９に送り、セレクタ３０９では、プリンタ部１０２の露光制御部であるレーザドライバ２１０、ファクシミリインターフェース（ＩＦ）１０８の送信部またはコンピュータインターフェース（ＩＦ）１１１のいずれかへ入力されてくる画像信号を送り出し、」とするのであるから、画像データを転写紙上に可視像として出力する画像出力装置は、本願発明の画像形成手段に対応し、
引用発明１は「画像の読み込み倍率Ｍを求め、等倍からの差分を、副走査方向の倍率補正値ｍとする」ものであり、本願発明は「上記読取手段における主走査方向に対する倍率誤差量と副走査方向に対する倍率誤差量とを算出する算出手段」を有するものであるから、後述の相違点を除いて、どちらも、読取手段における倍率誤差に関する値を算出する算出手段の機能を有する点では変わりはなく、
引用発明１の不揮発性メモリ３１８は倍率補正値ｍを記憶するので、本願発明の第２の記憶手段と、算出された倍率誤差に関する値を記憶する記憶手段の機能を有する点では変わりはなく、
引用発明１はファクシミリインターフェース（ＩＦ）１０８の送信部を有しているので、本願発明の送信手段と、画像情報を送信する送信手段の機能を有する点では変わりはなく、
引用発明１の補正手段は、指示されたスキャン倍率（要求倍率ＭＱ）を不揮発性メモリ３１８に記憶された倍率補正値ｍを使用して、画像信号に変倍処理を電気的に施して読み取り倍率を補正することで、指示どおりの倍率で、リーダで読み取った原稿画像を表す画像信号をファクシミリＩＦ１０８に出力するスキャナモードのスキャン動作を行うことができるものであり、後述の相違点を除いて、本願発明の解像度変換手段と、データ送信機能が動作される際、第２の記憶手段に記憶された倍率誤差に関する値に基づいて倍率を補正して読取手段で読取られる画像情報の変換を行う変換手段の機能を有する点では変わりはない。
　したがって、本願発明と引用発明１とを対比すると、次の点で一致する。
　
「データ送受信機能と複写機能とを有する画像形成装置において、
　原稿を走査して画像を読取る読取手段と、
　この読取手段で読取った画像情報を記憶する第１の記憶手段と、
　この第１の記憶手段に記憶された画像情報または上記読取手段で読取った画像情報に基づいて被画像形成媒体に画像を形成する画像形成手段と、
　上記読取手段における倍率誤差に関する値を算出する算出手段と、
　この算出手段で算出された倍率誤差に関する値を記憶する第２の記憶手段と、
　上記データ送信機能が動作される際、上記第２の記憶手段に記憶された倍率誤差に関する値に基づいて倍率を補正して上記読取手段で読取られる画像情報の変換を行う変換手段と、
　この変換手段で変換された画像情報を送信する送信手段と、
　を具備したことを特徴とする画像形成装置。」
　
　また、次の点で相違する。
　
　相違点１
　本願発明は、算出手段、第２の記憶手段、及び変換手段において、読取手段における倍率誤差に関する値が、読取手段における主走査方向に対する倍率誤差量と副走査方向に対する倍率誤差量であるのに対して、引用発明１では、具体的には副走査方向の倍率補正値ｍについて特定されているだけである点。
　
　相違点２
　本願発明は、「上記データ送受信機能が動作される際、解像度変換のために用いられる解像度変換テーブル」を備え、変換手段が「上記データ送信機能が動作される際、上記第２の記憶手段に記憶された主走査方向に対する倍率誤差量と副走査方向に対する倍率誤差量とに基づいて上記解像度変換テーブルを用いて所定の解像度変換倍率を補正して上記読取手段で読取られる画像情報の解像度変換を行う解像度変換手段」であるのに対して、引用発明１では、操作部１０５より指示されたスキャン倍率（要求倍率ＭＱ）を不揮発性メモリ３１８に記憶された倍率補正値ｍを使用して、画像信号に変倍処理を電気的に施して読み取り倍率を補正する補正手段である点。
　
４．相違点に対する判断
　相違点１について
　引用発明２の「主走査方向及び副走査方向の縮倍率の調整値」は、それに基づいて倍率の調整が行われるもので、読取手段における主走査方向に対する倍率誤差に関する値と副走査方向に対する倍率誤差に関する値といえるものであるから、引用発明１においても、副走査方向だけでなく主走査方向についても倍率誤差に関する値を算出して、それに基づいて補正を行うことに困難な点はない。
　また、本願発明でいう「倍率誤差量」は、誤差が正しい値との差という普通の意味であれば、引用発明１の等倍からの差分を倍率補正値ｍとすることと変わりはないが、本願の発明の詳細な説明に
「　　【００５９】
　投影された両パターンＬＰ，ＲＰの像ＲＰｂ，ＬＰｂ間の長さ２ｂｘが求められると、主走査方向に対する倍率誤差量が求められる。
　この倍率誤差量は、倍率誤差をもつ場合の、両パターンＬＰ，ＲＰの像ＲＰａ，ＬＰａ間の長さ２ａｘと、倍率誤差をもたない場合の、両パターンＬＰ，ＲＰの像ＲＰｂ，ＬＰｂ間の長さ２ｂｘ（論理値）との比を求めることにほかならない。したがって、主走査方向の倍率誤差量は、２ｂｘ／２ａｘ＝（γ−δ）／（α−β）により求められる。
　　　【００６０】
　次に、画像形成時における。補間演算回路１５３による補間演算処理について説明する。
　すなわち、主走査方向の倍率誤差量にもとづいた補正動作には、主走査方向の倍率誤差量が１よりも大きい場合（主走査方向の倍率誤差量＞１）と、主走査方向の倍率誤差量が１よりも小さい場合（主走査方向の倍率誤差量＜１）とに大別される。
　　　【００６１】
　主走査方向の倍率誤差量＞１の場合とは、光学像が原稿Ｇ上の実際の画像情報（実像）よりも大きく投影されている場合であり、このような場合には、形成される画像は実像よりも大きく拡大されて出力されることになる。したがって、この場合には、補間演算回路１５３において、画素端より順番に読み出される格納部１５１からのデジタル画像信号に対し、縮小する方向に倍率補正が施される。」
と記載されているように、正しい値との比率のことであるのならば、「倍率誤差量」という表現は、厳密には正しいと言えないが、その値に基づいて倍率を補正するという機能からみれば、格別の差異はないものといえるし、本願の特許請求の範囲の記載には、「倍率誤差量」に関する具体的な特定はなされていないので、引用発明１の倍率補正値ｍと実質的な差異はないといえる。
　
　相違点２について
　ファクシミリ装置において、画像情報を解像度（線密度）変換して送信することは周知のことであり（例えば、下記の周知例１，２）、解像度変換を拡大縮小により行うことも周知のことである。（例えば、下記の周知例２−４）
　したがって、引用発明１の操作部１０５より指示されたスキャン倍率（要求倍率ＭＱ）は、その倍率により変換された画像信号がファクシミリインターフェース（ＩＦ）１０８の送信部に出力されるのであるから、解像度変換の倍率ということができるものである。
　また、予め求めておいた値を表として記憶するテーブルは周知の技術であるから（例えば、下記の周知例４）、引用発明１においてスキャン倍率を送信の度に操作部１０５より指示することに替えて、テーブルに記憶しておいた値を用いるようにすることに困難な点はない。
　
　　　　　　　　　　　　　　　 周知例
　
　１．特開昭６１−２５３９７０号公報
　「イメージデータを選択して、密度変換し、伝送可能としたことを特徴とするミクストモード端末装置。」（特許請求の範囲）等と記載されている。
　
　２．特開平５−２８４３３７号公報
　「【特許請求の範囲】
【請求項１】　多階調デジタル信号を所定の倍率で変倍した後、２値化し、該２値化された画像をメモリに記憶した後に送信する機能を有するファクシミリ装置において、交信した複数の相手先の線密度を記憶する手段と、メモリ送信時に該記憶手段を参照して、該線密度に応じた倍率で多値変倍する手段とを備えたことを特徴とするファクシミリ装置。」等と記載されている。
　
　３．特開平８−１２５８４８号公報
「【要約】　
【目的】受信画像とプリンタの解像度の差等に応じた画像の拡大縮小変換処理を任意の変換倍率で実現する。」等と記載されている。
　
　４．特開昭６３−１１１７６３号公報
「この記憶手段に格納されている前記画像データを、指定された比率で拡大または縮小して解像度を変換し、その記憶手段の別の箇所に書き込む解像度変換手段と、」（特許請求の範囲）、
「本実施例では、縮小率は、画像をインテリジェント端末のディスプレイに表示した場合、画像全体が見えるように決定している。文書画像を例にとると、シーケンス制御回路１５は、以下のようなテーブルを記憶し、与えられたパラメタから縮小率を決定する。
……
　Ａ４版の文書画像を８ライン／ｍｍの解像度で読んだ時、画像データサイズは、１７２８ドツト×２３７６ラインである。これを解像度１１２０×７５０の横長のディスプレイに全体を表示するには、簡単には１／４×１／４に縮小する（４３２ドツト×５９４ライン）。」（第６頁右上欄−同頁左下欄）等と記載されている。
　
　したがって、引用発明１において、相違点１及び２を本願発明のようにすることは、当業者が容易になしえることである。
　
５．むすび
　以上のとおり、本願発明は、引用発明１及び２に基づいて当業者が容易に発明をすることができたものであるから、特許法第２９条第２項の規定により特許を受けることができない。
　よって、結論のとおり審決する。